(57)【要約】【課題】塵芥を収容する投入口のバケットを装置に一体化して組み込むことによりバケットの不用意な落下を防止するとともに、設置スペースの省スペース化を図ることのできる塵芥投入装置を提供する。【解決手段】上部に設けられた投入部を通じて貯留槽に塵芥を投入する塵芥投入装置であって、塵芥を収容するバケット２が、回動アーム３２の上下方向への回動動作に伴う作動アーム３３の作動により、ガイドレール４に沿って上方に移送自在に設けられるとともに、上方位置において前記投入部を通じて塵芥を投入するように反転作動可能に設けられる一方、下方位置において投入口１ｂに開閉自在に設けられた開閉蓋５２の開閉動作に連動して塵芥を投入する投入位置との間で開閉自在に設けられている。バケット２が、下方位置と投入位置との間で開閉蓋５２とともに手動若しくは自動開閉可能に構成されている。【選択図】  図２
2005145583.tif 000002
【特許請求の範囲】
【請求項１】
上部に設けられた投入部を通じて貯留槽に塵芥を投入する塵芥投入装置であって、
塵芥を収容するバケットが、回動アームの上下方向への回動動作に伴う作動アームの作動により、ガイドレールに沿って上方に移送自在に設けられるとともに、上方位置において前記投入部を通じて塵芥を投入するように反転作動可能に設けられる一方、下方位置において投入口に開閉自在に設けられた開閉蓋の開閉動作に連動して塵芥を投入する投入位置との間で開閉自在に設けられたことを特徴とする塵芥投入装置。
【請求項２】
前記バケットが、下方位置と投入位置との間で前記開閉蓋とともに自動開閉可能に構成されたことを特徴とする請求項１記載の塵芥投入装置。
【請求項３】
前記バケットの自動開閉は、前記作動アームの作動により行われることを特徴とする請求項２記載の塵芥投入装置。
【請求項４】
前記バケット側には、開閉蓋の開閉に伴う当該バケットの開閉、又はバケットの開閉と移送及び反転とを補助するための補助手段が設けられたことを特徴とする請求項１、２又は３記載の塵芥投入装置。
【発明の詳細な説明】
【技術分野】
【０００１】
本発明は、上部に設けられた投入部を通じて貯留槽に塵芥を投入する塵芥投入装置に関する。
【背景技術】
【０００２】
従来、この種の塵芥投入装置としては、地上において装置本体まで移送したゴミ容器を当該装置本体に装着した後、このゴミ容器を地上からポストに沿って上方に持ち上げ、当該上方においてゴミ容器をその上部開口が貯留槽の投入部に臨むようにガイドによって反転させることにより、ゴミ容器内の塵芥を投入部を通じて貯留槽に投入する装置が提供されている（例えば特許文献１参照）
【特許文献１】特開平６−２１９５０３号公報
【発明の開示】
【発明が解決しようとする課題】
【０００３】
しかしながら、上記従来のものでは、ゴミ容器を装置本体に装着して当該ゴミ容器を上方まで持ち上げて反転させているため、装着の仕方が悪ければ、ゴミ容器の上方への搬送時において落下を招く虞があり安全性の面で問題があるとともに、周辺へゴミが飛散する虞もあり外部環境の悪化を招くという問題があった。
【０００４】
また、上記ゴミ容器も装置に一体的に組み込む場合には、装置全体が大型化して設置スペースが大きくなる傾向があるが、この場合でも装置全体をコンパクトなものにして省スペース化を図ることが要望されていた。
【０００５】
本発明は、上記問題点に鑑みてなされたもので、その目的とするところは、塵芥を収容する投入口のバケットを装置に一体化して組み込むことによりバケットの不用意な落下を防止するとともに、設置スペースの省スペース化を図ることのできる塵芥投入装置を提供することにある。
【課題を解決するための手段】
【０００６】
上記の目的を達成するため、請求項１に係る発明の塵芥投入装置は、上部に設けられた投入部を通じて貯留槽に塵芥を投入する塵芥投入装置であって、塵芥を収容するバケットが、回動アームの上下方向への回動動作に伴う作動アームの作動により、ガイドレールに沿って上方に移送自在に設けられるとともに、上方位置において前記投入部を通じて塵芥を投入するように反転作動可能に設けられる一方、下方位置において投入口に開閉自在に設けられた開閉蓋の開閉動作に連動して塵芥を投入する投入位置との間で開閉自在に設けられたものである。
【０００７】
請求項２に係る発明の塵芥投入装置は、前記バケットが、下方位置と投入位置との間で前記開閉蓋とともに自動開閉可能に構成されたものである。
【０００８】
請求項３に係る発明の塵芥投入装置は、前記バケットの自動開閉は、前記作動アームの作動により行われるものである。
【０００９】
請求項４に係る発明の塵芥投入装置は、  前記バケット側には、開閉蓋の開閉に伴う当該バケットの開閉、又はバケットの開閉と移送及び反転とを補助するための補助手段が設けられたものである。
【発明の効果】
【００１０】
本発明によれば、バケットの不用意な落下を防止でき、これによる部材の損傷などの事故を確実に防止でき、高い安全性を確保することができるとともに、周辺への塵芥の飛散も防止でき周辺環境の悪化を防止することができ、しかも、バケットを簡単な機構により反転作動させることができるので装置に一体化して組み込んだ場合でも設置スペースの省スペース化を図ることができる。
【発明を実施するための最良の形態】
【００１１】
以下、本発明の実施の形態について図面を参照して説明する。
【００１２】
図１は、本発明の塵芥投入装置を示している。
【００１３】
塵芥投入装置１は、上部に設けられた投入部としての投入ホッパ７１を通じて貯留槽７に塵芥を投入するためのものである。
【００１４】
上記貯留槽７としては、例えば図示例のようにドラムが水平軸回りに回転自在に設けられており、塵芥投入装置１によって一端部上方に設けた投入ホッパ７１に投入した塵芥をシュート７２を通じてドラム内に導入し、このドラムの回転動作により内部に設けたブレードの作用で投入ホッパ７１と反対側の排出口側に搬送して圧縮しながら貯留し、貯留した塵芥を排出口から適宜に排出するようにしている。
【００１５】
以下、塵芥投入装置１の具体的構成について図２及び図３を参照して説明する。
【００１６】
塵芥投入装置１は、装置内に組み込まれたバケット２を上方まで移送して反転させるためのもので、駆動装置３によりバケット２をガイドレール４に沿って上下に移動させることで下方位置と上方位置との間で搬送し、上方位置においてバケット２を反転させるようにしている。
【００１７】
バケット２は、その左右両側面の奥側上部にガイドローラ２１が側方に突出した状態で設けられており、これらガイドローラ２１が左右のガイドレール４に沿って転動自在に配置されている。また、バケット２の左右両側面の奥側下部には連結ローラ２２が側方に突出した状態で設けられており、当該連結ローラ２２と上記ガイドローラ２１が連結アーム２３によって連結されている。そして、連結ローラ２２から外方に突出した軸部２２ａには、後述する作動アーム３３の先端部が回動自在に支持されている。
【００１８】
前記駆動装置３は、基台１ａの上部に設けられた駆動モータ３１と、この駆動モータ３１に連繋された駆動軸３１ａに基端部が一体的に設けられた回動アーム３２と、回動アーム３２の先端部に基端部が回動自在に支持された作動アーム３３とを備え、回動アーム３２及び作動アーム３３は左右に一対設けられている。
【００１９】
回動アーム３２は、基端部が基台１ａ上部に水平に軸支された駆動軸３１ａの両側にそれぞれ一体的に設けられており、駆動モータ３１の正逆方向への駆動により上記駆動軸３１ａを介して下方に垂下する垂下位置から上方に立設する位置との間で略１８０度回動自在に設けられている。
【００２０】
作動アーム３３は、への字状に形成されており、その先端部が前記連結ローラ２２の軸部２２ａに長孔３３ａを介して回動自在に連結された構造になされている。そして、この作動アーム３３は、上記回動アーム３２の回動動作に連動して上下にその姿勢が変化しながら移動するようになっている。
【００２１】
前記ガイドレール４は、前記バケット２のガイドローラ２１及び連結ローラ２２に対応して設けられた左右一対のチャンネル材からなり、各開口部が内側になるように配置されてその内部にガイドローラ２１が、上面に連結ローラ２２が共に転動自在に配置されている。
【００２２】
また、ガイドレール４の上端部４１は奥側に所定長さ略水平に屈折形成されており、バケット２が上方位置に達した際にはガイドローラ２１がこの部分に配置されるようになされている。
【００２３】
一方、バケット２は、下方位置においてバケット受け５上に支持されるように構成されている。つまり、バケット受け５は、バケット２の底面を支持すべく該バケット２の底面よりも若干大きい形状に形成されており、当該バケット受け５でバケット２の底面を受けることによって当該バケット２を支持する。
【００２４】
上記バケット受け５は、その底面がブラケット５１を介して基台１ａ側に回動自在に設けられるともに、前部に基台１ａの前面に形成された投入口１ｂを開閉する開閉蓋５２が一体的に設けられており、下方位置に配置されてバケット受け５に支持されたバケット２が当該バケット受け５とともに回動自在になされている。
【００２５】
つまり、バケット受け５を前方に回動させて開閉蓋５２によって投入口１ｂを開放した状態ではこのバケット受け５とともにバケット２も図２に一点鎖線で示すように前方に回動して投入位置に配置され、これによりバケット２にその上面開口を通じて塵芥が投入可能になる。この投入位置では、バケット２の後面上部に設けたストッパ２ａと、バケット２の側面上下方向に突出して形成されたストッパ片２ｂとが、投入口１ｂの上端縁と両側縁とに当接することによって開き過ぎずにその位置を保持するようにしている。
【００２６】
そして、上述したようにバケット２が下方位置から投入位置に回動できるように、ガイドレール４にはガイドローラ２１が挿通できるだけの挿通口４２（図３参照）が形成されている。
【００２７】
また、投入口１ｂの上部には近接センサやリミットスイッチなどの検出装置５３が設けられており、この検出装置５３が開閉蓋５２による投入口１ｂの開放・閉塞を検出することによって、後述するバケット２の反転作動や、開閉蓋５２の閉塞状態での固縛を行うようにしている。
【００２８】
さらに、バケット２側には、開閉蓋５２の開閉に伴う当該バケット２の少なくとも開閉を補助するための補助手段が設けられている。
【００２９】
補助手段は、バケット２側に左右一対のワイヤなどの線状部材６１を介して連結されたウエイト６によって構成されており、後述するバケット２の開閉動作の他、バケット２の移送及び反転動作を補助するようにしている。
【００３０】
具体的には、各ワイヤ６１は、その一端が前記作動アーム３３の先端部が連結された連結ローラ２２の軸部２２ａ先端に連結されるとともに、途中部がガイドレール４の上下部に設けられた滑車６２、６３によって当該ガイドレール４に沿って斜め上方に導かれた後、上記滑車６３から上方に導かれて基台１ａの上部に設けられた滑車６４によって下方に折り返され、他端がウエイト６を取付けて水平に配置された取付部材６５（図３参照）の両端部に連結されている。
【００３１】
上記滑車６２は、図５に示すようにガイドレール４の外側面に取付けられたアングル６２ａの上端部に設けられており、後述する作動アーム３３の作動時に当該作動アーム３３の先端部と干渉しないようになされている。また、滑車６３も作動アーム３３の作動時に当該作動アーム３３の先端部と干渉しないように滑車６２と同様な状態でアングル６３ａ（図２参照）を介して設けられている。
【００３２】
なお、図２及び図４に示す符号５４は、開閉蓋５２の下部に形成される開口を閉塞するためのカバー材であり、このカバー材５４は、開閉蓋５２の開放に伴って邪魔にならないように基台１ａの内側に挿入されるように構成されている。
【００３３】
次に、このように構成された塵芥投入装置の動作について説明する。
【００３４】
まず、下方位置に配置されたバケット２に塵芥を投入する場合には、バケット受け５の開閉蓋５２を手前に引いてバケット受け５を前方に回動させることで該開閉蓋５２によって投入口１ｂを開放する。このバケット受け５の回動に伴ってバケット２も当該バケット受け５と同様に前方に回動して上面開口を通じて塵芥が投入可能なように配置される。
【００３５】
この際、バケット２の連結ローラ２２と作動アーム３３とは、連結ローラ２２の軸部２２ａが作動アーム３３の先端部長孔３３ａをスライドすることによって、バケット２の回動に支障を来さないように当該バケット２の回動とともに移動する（図２一点鎖線参照）。そして、この連結ローラ２２と作動アーム３３との移動に伴って軸部２２ａに連結されたワイヤ６１が図２に一点鎖線で示すように投入口１ｂ側に引き寄せられてウエイト６を上方に移動させる。これによりバケット２及び開閉蓋（バケット受け５を含む）５２はウエイト６の作用により急激に開放することなくゆっくりと投入位置に配置される。
【００３６】
この状態でバケット２内に塵芥を投入してバケット受け５の開閉蓋５２を閉塞する。この際、バケット２及び開閉蓋５２は、上述した開放する時とは逆にウエイトの作用により軽い力で楽に閉じることができる。
【００３７】
このようにして開閉蓋５２を閉塞すると、これを検出装置５３が検出することで開閉蓋５２を図示しない固縛手段により固縛して投入口１ｂの開放を阻止した後、バケット２の反転作動を行う。
【００３８】
バケット２の反転作動は、駆動モータ３１を回転駆動させて下方に垂下した状態になっている回動アーム３２を駆動軸３１ａを介して図２において時計回りの方向に回動させる。
【００３９】
これにより作動アーム３３が回動アーム３２やガイドローラ２１などの位置関係の変位に従って姿勢を変えながら上方に移動し、バケット２のガイドローラ２１がガイドレール４に沿って上方に移動することで当該バケット２を上方に移送する（図６一点鎖線参照）。この際、作動アーム３３は、その先端部の連結ローラ２２がガイドレール４の上面を転動するとともに、ウエイト６により上方に引き上げる作用が働くことによって安定した状態でスムーズに上方に移動し、上記バケット２をガイドローラ２１の作用と相まって上方に円滑に移送させることができる。
【００４０】
続いて、さらに回動アーム３２を、時計回りの方向に回動させることで、作動アーム３３がさらに姿勢を変えながら上方に移動し、これに伴ってバケット２のガイドローラ２１がガイドレール４の上端部４１に配置される。
【００４１】
そして、この位置からさらに回動アーム３２を回動させることで、ガイドローラ２１と作動アーム３３が連結している連結ローラ２２との上下位置が逆転して連結ローラ２２がガイドローラ２１よりも上方に導かれる。
【００４２】
これによりバケット２の上下がガイドローラ２１を中心にして逆転して当該バケット２が図６に二点鎖線で示すように反転し、バケット２内の塵芥を図１に示す貯留槽７の投入ホッパ７１に投入してシュート７２を通じてドラム内に導入する。このようにバケット２が反転する際にも作動アーム３３の先端部をウエイト６により上方に引き上げる作用が働き、これによって当該バケット２を円滑に反転させることができる。即ち、ウエイト６によってバケット２の開閉動作、移送及び反転動作が円滑に行われるように補助している。
【００４３】
この後、回動アーム３２を元の下方に垂下する位置まで逆方向の反時計回りに回動させことで、上述した動作と逆の動作によってバケット２が元の下方位置に配置される。なお、回動アーム３２には、当該回動アーム３２に対する作動アーム３３の角度を保持するためのストッパ３２ａが設けられており、回動アーム３２が反時計回りへ回動する初期時において、このストッパ３２ａにより作動アーム３３が回動アーム３２に対して投入口１ｂ側である前方側に移動するのを阻止することによって、バケット２が反転状態から円滑に復帰できるようにしている。
【００４４】
また、バケット２が反転復帰及び下降する際には、ウエイト６がこれら動作と反対方向に作用するが、このウエイト６によりバケット２の急激な反転復帰や下降を防止できるので安全性を高める上でむしろ好ましい。
【００４５】
ところで、駆動モータ３１の駆動制御は、例えば回動アーム３２の回動位置をリミットスイッチや近接センサなどの検出装置により検出して上述したようにバケット２を上方位置で反転させるとともに、バケット２を下方位置に配置するようにすればよい。
【００４６】
そして、バケット２が下方位置に配置されてこれを上記検出装置が検出した際には駆動モータ３１の駆動停止とともに、固縛手段を解除して投入口１ｂを開放可能にすることでバケット２への塵芥の投入を可能にする。なお、上述した駆動モータ３１の駆動制御及び固縛手段の解除は、リミットスイッチや近接センサなどの検出装置の他、エンコーダによる検出に基づいて行うようにしてもよい。
【００４７】
これにより上述と同様にしてバケット２に投入した塵芥を貯留槽７に導入することができる。
【００４８】
ところで、上述したように駆動モータ３１によるバケット２の移送中において開閉蓋５２を閉塞状態で固縛するのは、バケット２の移送中においてもバケット受け５は下方位置のままで配置されており、この状態でバケット受け５が開放できると、バケット２が下方位置まで下降した時にバケット受け５に適正に支持されずに干渉して損傷などを招くとともに、手を突っ込むと危険であるため、これを解消して安全性を高めるようにしている。
【００４９】
また、バケット２の反転作動は、上述のように開閉蓋５２の一回ごとの開閉動作に連動して行うようにしてもよいし、また、施設などにより塵芥の一回の投入量が一定している場合には、バケット２が満杯になるであろう開閉蓋５２の開閉回数を予め設定しておき、、この回数に達した時にバケット２の反転作動を行うようにしても良い。
【００５０】
さらに、下方位置に配置したバケット２に塵芥を収容するようにしているため、投入口１ｂを通じての塵芥投入位置を極力低くすることができ、これにより塵芥の投入が容易になりバリアフリーにも対応することができる。
【００５１】
このように塵芥を収容するバケット２を装置に一体化して組み込むことにより当該バケット２の不用意な落下を防止でき、これによる部材の損傷や人身事故などを確実に防止でき、高い安全性を確保することができるとともに、周辺への塵芥の飛散も防止でき周辺環境の悪化を防止することができる。また、バケット２を簡単な機構により反転作動させることができるので装置に一体化して組み込んだ場合でも設置スペースの省スペース化を図ることができる。
【００５２】
また、この塵芥投入装置１によれば、バケット受け５の開閉蓋５２を自動開閉、つまりバケット２を自動開閉することもできる。
【００５３】
具体的には、バケット２が下方位置に配置された状態で下方に垂下している回動アーム３２を図２において反時計回りに所定量回動させ、これによって作動アーム３３を作動させてバケット２が開放する位置まで強制的に配置することで当該バケット２を開放するとともに、この逆の動作でバケット２を閉塞することができる。
【００５４】
この場合、回動アーム３２の回動に伴って作動アーム３３がバケット２を開放させる適正位置に配置できるように、ストッパなどによって両者の連結関係を保持するとともに、図示しない操作スイッチの操作に基づいて回動アーム３２を回動させる駆動モータ３１を適宜な検出装置を用いて駆動制御させることにより、上述したバケット２の開閉を行うようにすればよい。
【００５５】
なお、上述した実施形態は、あくまでも本発明の好適な実施態様を示すものであって、本発明はこれに限定されることなく、その範囲内において種々設計変更可能である。
【００５６】
例えば、塵芥投入装置１によって塵芥を投入する貯留槽７は、回転自在なドラムに限らず、塵芥投入装置１によって上部の投入部から投入された塵芥を内部に貯留するものであれば何でもよい。
【００５７】
また、バケット２の自動開閉は、作動アーム３３による作動に限らず、別途設けたモータやシリンダなどのアクチュエータによって行うようにしてもよい。
【００５８】
さらに、補助手段は、線状部材６１を介して連結されたウエイト６に限らず、バケット２の開閉動作、移送及び反転動作を補助するための構成であればよし、また、バケット２の開閉動作のみを補助する構成であってもよい。
【図面の簡単な説明】
【００５９】
【図１】本発明の塵芥投入装置を貯留槽とともに配置した状態を示す側面図である。
【図２】本発明の塵芥投入装置の構成を示す側面図である。
【図３】同じく塵芥投入装置を示す正面図である。
【図４】塵芥投入装置の投入部を示す正面図である。
【図５】ウエイトが連結されたワイヤを導く滑車の取付状態を示す正面図である。
【図６】塵芥投入装置のバケットの反転動作を示す側面図である。
【符号の説明】
【００６０】
１  塵芥投入装置
１ｂ  投入口
２  バケット
３２  回動アーム
３３  作動アーム
４  ガイドレール
５２  開閉蓋
６  ウエイト
６１  ワイヤ（線状部材）
７  貯留槽
７１  投入ホッパ（投入部）
【図１】
2005145583.tif 000003
【図２】
2005145583.tif 000004
【図３】
2005145583.tif 000005
【図４】
2005145583.tif 000006
【図５】
2005145583.tif 000007
【図６】
2005145583.tif 000008